【手続補正書】
【提出日】平成20年2月21日(2008.2.21)
【手続補正１】
【補正対象書類名】明細書
【補正対象項目名】発明の名称
【補正方法】変更
【補正の内容】
【発明の名称】無線通信システム、無線通信装置、制御方法及びプログラム
【手続補正２】
【補正対象書類名】明細書
【補正対象項目名】特許請求の範囲
【補正方法】変更
【補正の内容】
【特許請求の範囲】
【請求項１】  無線通信装置及び前記無線通信装置を登録する他の無線通信装置を有する無線通信システムであって、
前記無線通信装置は、
前記無線通信装置を登録する前記他の無線通信装置を識別するための情報を操作者に入力させる入力手段と、
前記無線通信装置を前記他の無線通信装置に登録する際に、前記入力手段により入力された前記他の無線通信装置を識別するための情報が含まれる報知信号を検索し、前記他の無線通信装置を検索する検索手段と、
を有することを特徴とする無線通信システム。
【請求項２】無線通信装置であって、
前記無線通信装置を登録する他の無線通信装置を識別するための情報を操作者に入力させる入力手段と、
前記無線通信装置を前記他の無線通信装置に登録する際に、前記入力手段により入力された前記他の無線通信装置を識別するための情報が含まれる報知信号を検索し、前記他の無線通信装置を検索する検索手段と、
を有することを特徴とする無線通信装置。
【請求項３】  前記他の無線通信装置は、前記他の無線通信装置を識別するための情報と、前記無線通信装置を識別するための情報とを報知し、
前記無線通信装置は、前記入力手段により入力された前記他の無線通信装置を識別するための情報を含む報知信号を受信した場合に、前記無線通信装置を識別するための情報を操作者に入力させ、前記報知信号に含まれていた前記無線通信装置を識別するための情報と前記入力された前記情報とが一致するか否かを判断する判断手段と、
前記報知信号に含まれていた前記無線通信装置を識別するための情報と前記入力され前記情報とが一致する場合に、前記他の無線通信装置に前記無線通信装置を登録する処理を行う登録手段と、
を有することを特徴とする請求項２に記載の無線通信装置。
【請求項４】  前記登録手段は、前記無線通信装置に前記他の無線通信装置を登録する処理も行うことを特徴とする請求項３に記載の無線通信装置。
【請求項５】  前記他の無線通信装置が報知する、前記無線通信装置を識別するための情報は、前記無線通信装置に設定される番号と、登録操作を行う者を限定する暗証番号とを含むことを特徴とする請求項３または請求項４に記載の無線通信装置。
【請求項６】  前記他の無線通信装置が報知する、前記無線通信装置を識別するための情報は、操作者により設定された情報であることを特徴とする請求項３乃至請求項５のいずれかに１項に記載の無線通信装置。
【請求項７】  前記入力手段による入力を操作者に促す表示を表示器に行わせる表示手段を有することを特徴とする請求項２乃至請求項６の何れか１項に記載の無線通信装置。
【請求項８】  前記他の無線通信装置を検索してから規定の時間が過ぎても前記他の無線通信装置への登録が行えない場合に、操作者にエラーを通知する通知手段を有することを特徴とする請求項２乃至請求項７の何れか１項に記載の無線通信装置。
【請求項９】  無線通信装置であって、
前記無線通信装置の登録を消去する他の無線通信装置を識別するための情報を操作者に入力させる入力手段と、
前記無線通信装置を前記他の無線通信装置の登録から消去する際に、前記入力手段により入力された前記他の無線通信装置を識別するための情報が含まれる報知信号を検索し、前記他の無線通信装置を検索する検索手段と、
を有することを特徴とする無線通信装置。
【請求項１０】
前記他の無線通信装置は、前記他の無線通信装置を識別するための情報と、前記無線通信装置を識別するための情報とを報知し、
前記無線通信装置は、前記入力手段により入力された前記他の無線通信装置を識別するための情報が含まれる報知信号を受信した場合に、前記無線通信装置を識別するための情報を操作者に入力させ、前記報知信号に含まれていた前記無線通信装置を識別するための情報と前記入力された前記無線通信装置を識別するための情報とが一致するか否かを判断する判断手段と、
前記報知信号に含まれていた前記無線通信装置を識別するための情報と前記入力された前記無線通信装置を識別するための情報とが一致する場合に、前記他の無線通信装置に登録されている前記無線通信装置の登録を消去する処理を行う消去手段と、
を有することを特徴とする請求項９に記載の無線通信装置。
【請求項１１】  無線通信装置の制御方法であって、
前記無線通信装置を登録する他の無線通信装置を識別するための情報を操作者に入力させ、前記無線通信装置を前記他の無線通信装置に登録する際に、前記入力された前記他の無線通信装置を識別するための情報が含まれる報知信号を検索し、前記他の無線通信装置を検索することを特徴とする無線通信装置の制御方法。
【請求項１２】無線通信装置の制御方法であって、
前記無線通信装置の登録を消去する他の無線通信装置を識別するための情報を操作者に入力させ、前記無線通信装置を前記他の無線通信装置の登録から消去する際に、前記入力された前記他の無線通信装置を識別するための情報が含まれる報知信号を検索し、前記他の無線通信装置を検索することを特徴とする無線通信装置の制御方法。
【請求項１３】コンピュータにより実行され、無線通信装置を制御するためのプログラムであって、
前記無線通信装置を登録する他の無線通信装置の識別するための情報を操作者に入力させる入力工程と、
前記無線通信装置を前記他の無線通信装置に登録する際に、前記入力された前記他の無線通信装置を識別するための情報が含まれる報知信号を検索し、前記他の無線通信装置を検索する検索工程と、
をコンピュータに実行させることを特徴とするプログラム。
【請求項１４】コンピュータにより実行され、無線通信装置を制御するためのプログラムであって、
前記無線通信装置の登録を消去する他の無線通信装置を識別するための情報を操作者に入力させる入力工程と、
前記無線通信装置を前記他の無線通信装置の登録から消去する際に、前記入力された前記他の無線通信装置を識別するための情報が含まれる報知信号を検索し、前記他の無線通信装置を検索する検索工程と、
をコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、無線通信システム、無線通信装置、制御方法及びプログラムに関する。
【手続補正４】
【補正対象書類名】明細書
【補正対象項目名】０００９
【補正方法】変更
【補正の内容】
【０００９】
本発明は、上述した点に鑑みなされたものであり、登録対象機器を識別する情報を入力することで、報知信号の検索時には上記識別情報に基づき報知信号を検索することを可能とし、操作者が意図しない無線通信装置と登録動作を開始してしまう不具合を解消し、登録対象機器が複数台存在しても、登録の確実性を向上することを目的とする。
【手続補正５】
【補正対象書類名】明細書
【補正対象項目名】００１０
【補正方法】変更
【補正の内容】
【００１０】
【課題を解決するための手段】
上記目的を達成するため、本発明は、無線通信装置及び前記無線通信装置を登録する他の無線通信装置を有する無線通信システムであって、前記無線通信装置は、前記無線通信装置を登録する前記他の無線通信装置を識別するための情報を操作者に入力させる入力手段と、前記無線通信装置を前記他の無線通信装置に登録する際に、前記入力手段により入力された前記他の無線通信装置を識別するための情報が含まれる報知信号を検索し、前記他の無線通信装置を検索する検索手段と、を有することを特徴とする。
【手続補正６】
【補正対象書類名】明細書
【補正対象項目名】００１１
【補正方法】変更
【補正の内容】
【００１１】
上記目的を達成するため、本発明は、無線通信装置であって、前記無線通信装置を登録する他の無線通信装置を識別するための情報を操作者に入力させる入力手段と、前記無線通信装置を前記他の無線通信装置に登録する際に、前記入力手段により入力された前記他の無線通信装置を識別するための情報が含まれる報知信号を検索し、前記他の無線通信装置を検索する検索手段と、を有することを特徴とする。
【手続補正７】
【補正対象書類名】明細書
【補正対象項目名】００１２
【補正方法】変更
【補正の内容】
【００１２】
上記目的を達成するため、本発明は、無線通信装置であって、前記無線通信装置の登録を消去する他の無線通信装置を識別するための情報を操作者に入力させる入力手段と、前記無線通信装置を前記他の無線通信装置の登録から消去する際に、前記入力手段により入力された前記他の無線通信装置を識別するための情報が含まれる報知信号を検索し、前記他の無線通信装置を検索する検索手段と、を有することを特徴とする。
【手続補正８】
【補正対象書類名】明細書
【補正対象項目名】００１３
【補正方法】変更
【補正の内容】
【００１３】
上記目的を達成するため、本発明は、無線通信装置の制御方法であって、前記無線通信装置を登録する他の無線通信装置を識別するための情報を操作者に入力させ、前記無線通信装置を前記他の無線通信装置に登録する際に、前記入力された前記他の無線通信装置を識別するための情報が含まれる報知信号を検索し、前記他の無線通信装置を検索することを特徴とする。
【手続補正９】
【補正対象書類名】明細書
【補正対象項目名】００１４
【補正方法】変更
【補正の内容】
【００１４】
上記目的を達成するため、本発明は、無線通信装置の制御方法であって、前記無線通信装置の登録を消去する他の無線通信装置を識別するための情報を操作者に入力させ、前記無線通信装置を前記他の無線通信装置の登録から消去する際に、前記入力された前記他の無線通信装置を識別するための情報が含まれる報知信号を検索し、前記他の無線通信装置を検索することを特徴とする。
【手続補正１０】
【補正対象書類名】明細書
【補正対象項目名】００１５
【補正方法】変更
【補正の内容】
【００１５】
上記目的を達成するため、本発明は、コンピュータにより実行され、無線通信装置を制御するためのプログラムであって、前記無線通信装置を登録する他の無線通信装置の識別するための情報を操作者に入力させる入力工程と、前記無線通信装置を前記他の無線通信装置に登録する際に、前記入力された前記他の無線通信装置を識別するための情報が含まれる報知信号を検索し、前記他の無線通信装置を検索する検索工程と、をコンピュータに実行させることを特徴とする。
【手続補正１１】
【補正対象書類名】明細書
【補正対象項目名】００１６
【補正方法】変更
【補正の内容】
【００１６】
上記目的を達成するため、本発明は、コンピュータにより実行され、無線通信装置を制御するためのプログラムであって、前記無線通信装置の登録を消去する他の無線通信装置を識別するための情報を操作者に入力させる入力工程と、前記無線通信装置を前記他の無線通信装置の登録から消去する際に、前記入力された前記他の無線通信装置を識別するための情報が含まれる報知信号を検索し、前記他の無線通信装置を検索する検索工程と、をコンピュータに実行させることを特徴とする。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００８８
【補正方法】変更
【補正の内容】
【００８８】
以上説明したように、上記無線通信システムによれば、親機から親機の識別符号と親機で入力されたデータを含む報知信号を送出し、子機から親機に対する登録動作の際に子機で入力された親機の識別符号が含まれる報知信号を検索し、子機で入力されたデータが、検索された報知信号に含まれる親機で入力されたデータと一致するか否かを判断し、両方のデータが一致した場合に親機で子機に関する子機情報を書き込み、両方のデータが一致した場合に子機で親機に関する親機情報を書き込むため、下記の効果が得られる。
【手続補正４１】
【補正対象書類名】明細書
【補正対象項目名】００９０
【補正方法】変更
【補正の内容】
【００９０】
【発明の効果】
以上のように、本発明によれば、操作者が意図しない無線通信装置と登録動作を開始してしまう不具合を解消し、登録対象機器が複数台存在しても、登録の確実性を向上することができる。
【手続補正４２】
【補正対象書類名】明細書
【補正対象項目名】符号の説明
【補正方法】変更
【補正の内容】
【符号の説明】
１０１、１０２  通信制御装置（子機）
１０３、１０６  集中管理装置（親機）
１０４  公衆網（通信媒体）
１０５  ホストコンピュータ（情報処理装置）
１１１〜１１３  ＩＳＤＮ回線（通信媒体）
２０１  親機側メモリ
２０２  親機側制御部
２０３  表示器付キーボード
２０４  親機側無線送受信部
３０１  子機側メモリ
３０２  子機側制御部
３０３  判断部
３０４  表示器付キーボード